(57)【要約】      （修正有）【課題】オス、メス螺旋嵌合部品を結合しタブレットコンピュータ本体の携帯の便を図り、持ち歩いての操作に保護を提供し、スクリーンを回転させて調整できるため、便利に操作可能なタブレットコンピュータ専用レザーカバーを提供する。【解決手段】タブレットコンピュータ専用レザーカバーは、折畳み部４によりフロント面サポート板２とフロント面折畳み板を連接し、フロント面折畳み板の適当な位置には折線４１を横方向に設置し、その外辺縁口には少なくとも１個の固定ベルト４２を設置し、フロント面サポート板２内面と基板２１及び下回転板２３と上回転板２４は重ね、それぞれ縫製して一体に接続する。さらに、オス、メス螺旋嵌合部品を基板２１の第一可動接続孔と下回転板２３の第二可動接続孔、或いは直線導入保護板、或いは弧状導入保護板に設置し、その外側には少なくとも１個の差込を設置し、固定ベルト４２を差込に挿入し、封鎖して構成される。【選択図】図２
0003167989.tif 000002
【実用新案登録請求の範囲】
【請求項１】
タブレットコンピュータ専用レザーカバーは、折畳み部により、フロント面サポート板及びフロント面折畳み板を連接して構成し、
前記フロント面サポート板は、基板及び下回転板と上回転板とそれぞれ縫製して一体に接続し、及び相互に重なり、さらにオス、メス螺旋嵌合部品を、それぞれ前記基板の第一可動接続孔と前記下回転板の第二可動接続孔上に設置し、可動状態で結合し、
しかも、前記上回転板は内面に、片側辺に位置限定挿入板、停止辺を設置するタブレットコンピュータ収納カバーを縫製して設置し、
前記フロント面サポート板外側には、少なくとも１個の横方向の差込を設置し、
前記フロント面折畳み板は、２枚の層板が重なり縫製して一体を形成し、中段の適当な位置には、折線を横方向に設置し、しかもその外辺縁口には、少なくとも１個の固定ベルトを設置し、
前記上、下回転板オス、メス螺旋嵌合部品により、前記基板上で前記タブレットコンピュータ収納カバー内のタブレットコンピュータ本体を平面的に任意に自由に動かして使用することができ、
手を挿し込み持つ時には、前記フロント面折畳み板を、折線により折り返した後、しかも前記固定ベルトを、前記差込中に挿し込んで設置し、三角形サポートスタンドを形成し、手を、中央に形成された中央孔に挿し込み、持って定位することができ、
こうして、思いのままに回転調整してスクリーンを操作することができ、これにより外部保護の効果を達成することを特徴とするタブレットコンピュータ専用レザーカバー。
【請求項２】
タブレットコンピュータ専用レザーカバーは、折畳み部により、フロント面サポート板及びフロント面折畳み板を連接して構成し、
前記フロント面サポート板は、基板及び下回転板と上回転板とそれぞれ縫製して一体に接続し、及び相互に重なり、さらにオス、メス螺旋嵌合部品を前記基板の第一可動接続孔と前記下回転板の直線導入保護板上に設置して、可動状態に結合し、
前記直線導入保護板の槽内の一端は、中心端槽で、反対端は、横方向に任意に偏心端槽を延伸し、しかも各端の両側には、少なくとも１個の嵌合点を突出状に設置し、
前記上回転板は内面に、片側辺に位置限定挿入板、停止辺を設置するタブレットコンピュータ収納カバーを縫製して設置し、
前記フロント面サポート板外側には、少なくとも１個の横方向の差込を設置し、
前記フロント面折畳み板は、２枚の層板が重なり縫製して一体を形成し、中段の適当な位置には、折線を横方向に設置し、しかもその外辺縁口には、少なくとも１個の固定ベルトを設置し、
前記上、下回転板は、前記オス、メス螺旋嵌合部品により、前記直線導入保護板に対応し、前記基板上で前記タブレットコンピュータ収納カバー内のタブレットコンピュータ本体を、左右に偏移させ、及び自由に回転させて使用することができ、前記嵌合点により位置を制限し、前記中心端槽、或いは前記偏心端槽内に係合して定位し、
こうして、思いのままに回転調整してスクリーンを操作することができ、これにより外部保護の効果を達成することを特徴とするタブレットコンピュータ専用レザーカバー。
【請求項３】
タブレットコンピュータ専用レザーカバーは、折畳み部により、フロント面サポート板及びフロント面折畳み板を連接して構成し、
前記フロント面サポート板は、基板及び下回転板と上回転板とそれぞれ縫製して一体に接続し、及び相互に重なり、さらにオス、メス螺旋嵌合部品を、前記基板の第一可動接続孔と前記下回転板の弧状導入保護板上に設置して、可動状体で結合し、
前記弧状導入保護板の槽内一端は、中心端槽で、反対端は、横方向に任意に弧状に延伸し偏心端槽を形成し、上回転板は内面に、片側辺に位置限定挿入板、停止辺を設置するタブレットコンピュータ収納カバーを縫製して設置し、前記フロント面サポート板外側には、少なくとも１個の横方向の差込を設置し、
前記フロント面折畳み板は、２枚の層板が重なり縫製して一体を形成し、中段の適当な位置には、折線を横方向に設置し、しかもその外辺縁口には、少なくとも１個の固定ベルトを設置し、
前記上、下回転板オス、メス螺旋嵌合部品により、前記弧状導入保護板に対応し、前記基板上で、
前記タブレットコンピュータ収納カバー内のタブレットコンピュータ本体を、前記中心端槽或いは前記偏心端槽内でルートを制限しながら、左右に偏移させ、及び自由に回転させることができ、
こうして、思いのままに回転調整してスクリーンを操作することができ、これにより外部保護の効果を達成することを特徴とする請求項１に記載のタブレットコンピュータ専用レザーカバー。
【請求項４】
前記オス、メス螺旋嵌合部品は、オス、メスリベットであることを特徴とする請求項１或いは２或いは３に記載のタブレットコンピュータ専用レザーカバー。
【請求項５】
前記タブレットコンピュータ本体は、Ipadであることを特徴とする請求項１或いは２或いは３に記載のタブレットコンピュータ専用レザーカバー。
【請求項６】
前記固定ベルトは、ベルト先端部内の上、下側に、少なくとも１個の重なった係合凸ブロックをそれぞれ縫製して設置し、これにより前記差込に挿し込んで設置後、滑って脱落することを回避可能であることを特徴とする請求項１或いは２或いは３に記載のタブレットコンピュータ専用レザーカバー。
【請求項７】
前記位置限定挿入板を、内向きに折った後、タブレットコンピュータ本体底部の片側に挿し込み、完全に封鎖して、滑っての脱落を防止することを特徴とする請求項１或いは２或いは３に記載のタブレットコンピュータ専用レザーカバー。
【請求項８】
前記上、下回転板の所定の位置には、上、下カメラヘッド開孔を貫通状に設置し、ちょうど前記タブレットコンピュータ背後のカメラヘッドと対応することを特徴とする請求項２或いは３に記載のタブレットコンピュータ専用レザーカバー。
【請求項９】
前記弧状導入保護板の中心端槽及び偏心端槽の各端両側には、少なくとも１個の嵌合点を突出状に設置することを特徴とする請求項３に記載のタブレットコンピュータ専用レザーカバー。
【考案の詳細な説明】
【技術分野】
【０００１】
本考案はタブレットコンピュータ専用レザーカバーに関し、特にタブレットコンピュータレザーカバー上にオス、メス螺旋嵌合部品を結合し、これによりタブレットコンピュータ本体の携帯の便を図り、持ち歩いての操作に保護を提供し、及び使用においては、スクリーンを回転させて調整できるため、便利に操作可能なタブレットコンピュータ専用レザーカバーに関する。
【背景技術】
【０００２】
一般の回転させて調整できるレザーカバーは、折畳み部により、フロント面レザーカバーを連接し、フロント面と挟層を組成する。
回転させて調整できるレザーカバーは、内面にプラスチック挟枠槽を設置し、タブレットコンピュータ本体は、正面から嵌めて設置する。
その外縁には、サポート片フレームを設置し、これにより反対側へ折り返すと、卓上に立てて使用することができる。
【０００３】
タブレットコンピュータ本体を使用する時には、サポート片フレームを外へと反対側に折り返し、こうしてその底縁は、フロント面レザーカバー背部に接触し、簡単なスタンド体を形成する。
こうして、タブレットコンピュータ本体のスクリーン上でのタッチパネル操作、或いは視聴、観賞に用いることができ、また携帯に便利で、さらに機体を保護可能な機能性も提供することができる。
【０００４】
しかし、使用時には、平面上に限定され、手に持ったままの操作及びカメラヘッドに対応しての使用には不便である。
しかも、プラスチック挟枠槽は、衝撃を受けると、瞬間的に変形し易く、或いは長く使用すると弾性が失われ保護作用を喪失して、タブレットコンピュータ本体が滑って脱落する恐れがある。
【０００５】
また、タブレットコンピュータ背後のカメラヘッド使用に対応するレザーカバーは、カメラヘッドの位置に対応してカメラヘッド開孔を設置する。
使用者の操作を便利にするため、折り返し板上にも、相対するカメラヘッド開孔を開設し、タブレットコンピュータ本体に合わせて使用可能としている。
しかし、ビデオ撮影或いは写真撮影時には、折り返し板のカメラヘッド開孔の孔径の大きさ及びレンズの深さの影響を受け、光線に対して干渉を生じ易く、卓上に立てて使用するには不便である。
本考案は、従来のタブレットコンピュータ専用レザーカバーの上記した欠点に鑑みてなされたものである。
【考案の概要】
【考案が解決しようとする課題】
【０００６】
本考案が解決しようとする課題は、タブレットコンピュータレザーカバー上にオス、メス螺旋嵌合部品を結合し、これによりタブレットコンピュータ本体の携帯の便を図り、持ち歩いての操作に保護を提供し、及び使用においては、スクリーンを回転させて調整できるため、便利に操作可能なタブレットコンピュータ専用レザーカバーを提供することである。
【課題を解決するための手段】
【０００７】
上記課題を解決するため、本考案は下記のタブレットコンピュータ専用レザーカバーを提供する。
タブレットコンピュータ専用レザーカバーは、フロント面サポート板と基板及び下回転板と上回転板をそれぞれ縫製して一体に接続し相互に重なり、オス、メス螺旋嵌合部品を該基板の第一可動接続孔と該下回転板の第二可動接続孔上に設置し、
該上回転板は内面に、側辺に位置限定挿入板、停止辺を設置するタブレットコンピュータ収納カバーを縫製して設置し、外側には差込を横方向に設置し、固定ベルト先端部内の上、下側に少なくとも１個の重なった係合凸ブロックをそれぞれ縫製して設置し、該固定ベルトを該差込に挿入して組合せ、
フロント面折畳み板は、２枚の層板が重なり縫製して一体を形成し、及び中段には横方向に折線を設置し、
しかも、その外辺縁口には、該固定ベルトを設置し、
該フロント面折畳み板と該フロント面サポート板の折畳み部を通して、向かい合わせに折って合わせ、タブレットコンピュータ本体を、レザーカバー内位置に組合せ、内面と合わせ、
しかも、該固定ベルトを該差込中に挿入して、安定的に封鎖し、
しかも、該タブレットコンピュータ収納カバー上の位置限定挿入板を内向きに折り返し、タブレットコンピュータ本体底部の片側に挿し込み、これにより携帯に便利で、しかも封鎖して保護の作用を提供でき、
タブレットコンピュータ専用レザーカバーは、該固定ベルトを、該差込から抜いた後、該フロント面折畳み板を、外へと折り返すと、該上、下回転板は、該オス、メス螺旋嵌合部品により、基板上で自由に回転可能となり、これによりタブレットコンピュータ収納カバー内のタブレットコンピュータ本体を、思いのままに回転させることができ、
該フロント面折畳み板を、折線により折り返した後、さらに該固定ベルトを、該差込中に挿し込んで設置し、しかも該フロント面折畳み板辺縁は、該差込底縁に接触して定位され、三角形サポートスタンドを形成し、
手を、中央に形成される中央孔に通し、持って定位することができ、
該固定ベルトは、ベルト先端部上の係合凸ブロックを、平行に近い方向でなければ、該差込に挿入して組合せることができず、操作時に、非平行逆向きに滑り出にくくなり、
こうして、思いのままにタブレットコンピュータ本体を回転させて調整し、及び脱落する恐れを払拭し、安全な使用を提供することができ、
タブレットコンピュータ専用レザーカバーは、第二可動接続孔に、槽内一端がちょうど第二可動接続孔に対応する中心端槽、及び反対端が、横方向に任意に延伸して偏心端槽を形成する直線導入保護板を嵌めて設置し、
該各端の両側には、少なくとも１個の嵌合点を突出状に設置し、該オス、メス螺旋嵌合部品間の連結棒体を係合して定位し、
該上、下回転板には、上、下カメラヘッド開孔を貫通状に設置し、ちょうどカメラヘッドと対応し、
該オス、メス螺旋嵌合部品間の連結棒体は、該導入保護板の嵌合点に直接制限され、該中心端槽内に係合して定位し、しかも該固定ベルトを、該差込中に挿入して安定的に封鎖して携帯可能とし、
開いた後、該上、下回転板は、オス、メス螺旋嵌合部品を通して、直線導入保護板に対応し、基板上で左右に偏移し、及び自由に回転し、及び該偏心端槽内に係合して定位し、
これにより、該タブレットコンピュータ収納カバー内のタブレットコンピュータ本体を、思いのままに回転させることができ、
しかも、該上、下カメラヘッド開孔と該基板はずれて、露出し、これによりカメラヘッドは、必要な角度に調整され、直接ビデオ撮影或いは写真撮影を行うことができ、
しかも、反対に折ってサポートスタンドとした後、カメラヘッドは、平らな台上或いは手の上で、タブレットコンピュータ本体に対応して自由に動かし操作することができ、カメラヘッドの直接使用と、保護の効果を兼ね備え、
タブレットコンピュータ専用レザーカバーは、該直線導入保護板に替えて、槽内両端位置に、ちょうど該直線導入保護板の中心端槽及び偏心端槽と一致する弧状導入保護板を嵌めて設置し、
該上、下回転板には、上、下カメラヘッド開孔を貫通状に設置し、ちょうどカメラヘッドと対応し、
該オス、メス螺旋嵌合部品間の連結棒体は、該弧状導入保護板によりルートを制限され、及び該折畳み部の側辺に封鎖され、中心端槽内に留められ、
しかも、該固定ベルトを差込中に挿入して安定的に封鎖して携帯可能とし、
開く、或いは反対に折ってサポートスタンドとした後、該上、下回転板は、該オス、メス螺旋嵌合部品を通して、該弧状導入保護板に対応し、基板上で左右に偏移し、及び自由に回転し、及び偏心端槽内に係合して定位され、前記と相同の効果を達成することができる。
【考案の効果】
【０００８】
本考案のタブレットコンピュータ専用レザーカバーは、手で持ち、及びスクリーンを回転させ調整してのタッチ操作、及びカメラヘッドに対応した操作に運用することができ、タブレットコンピュータ本体を携帯する際に随時保護を提供することができる。
【図面の簡単な説明】
【０００９】
【図１】本考案第一実施例の分解立体図である。
【図２】本考案第一実施例の組合せ立体図である。
【図３】本考案第一実施例を開いた状態の立体図である。
【図４】本考案第一実施例を開いた状態の断面図である。
【図５】本考案第一実施例を回転させた状態の立体図である。
【図６】本考案第一実施例を反対に折った状態の立体図である。
【図７】本考案と手を結合した状態の実施例図である。
【図８】本考案第二実施例の分解立体図である。
【図９】本考案直線導入保護板の拡大図である。
【図１０】本考案第二実施例の回転偏移透視図である。
【図１１】本考案第二実施例の回転偏移透視図である。
【図１２】本考案第三実施例の分解立体図である。
【図１３】本考案弧状導入保護板の拡大図である。
【図１４】本考案第三実施例の回転偏移透視図である。
【図１５】本考案第三実施例の回転偏移透視図である。
【考案を実施するための形態】
【００１０】
以下に図面を参照しながら本考案を実施するための最良の形態について詳細に説明する。
【実施例】
【００１１】
図1、3、4、8、10、11に示すように、本考案は、折畳み部4により、フロント面サポート板2及びフロント面折畳み板3を連接して構成する。
【００１２】
フロント面サポート板2は、オス、メス螺旋嵌合部品22、22’により、それぞれ基板21の第一可動接続孔211と下回転板23の第二可動接続孔231、或いは直線導入保護板232、或いは弧状導入保護板233上にそれぞれ設置する。
こうして、任意に回転させることができる。
しかも、基板21及び下回転板23は、フロント面サポート板2及び上回転板24と、それぞれ縫製して一体に接続し、こうしてオス、メス螺旋嵌合部品22、22’を隠す。
オス、メス螺旋嵌合部品22、22’は、オス、メスリベット等とすることができる。
しかも、上回転板24は内面に、片側辺に位置限定挿入板251、停止辺252を設置するタブレットコンピュータ収納カバー25を縫製して設置し、
これにより、タブレットコンピュータ本体を横方向に入れて収めることができる。
タブレットコンピュータ本体は、Ipad（登録商標）等である。
フロント面サポート板2外側には、少なくとも１個の横方向の差込26を設置し、これにフロント面基板2の少なくとも１個の固定ベルト42を通して組合わせる。
【００１３】
フロント面折畳み板3は、２枚の層板が重なり縫製して一体を形成する。
中段の適当な位置には、折線41を横方向に設置し、しかもその外辺縁口には、少なくとも１個の固定ベルト42を設置する。
こうして、表、裏に折り、フロント面サポート板2の差込26に通して組合せ、レザーカバー、サポートスタンドを構成することができる。
固定ベルト42は、ベルト先端部421内の上、下側に、層を重ねて厚くした少なくとも１個の係合凸ブロック4211を縫製して設置する。
これにより、差込26に通して組合わせた後に、滑って脱落することを回避可能である。
この構造により、回転させて操作でき、及び片手で持って便利に使用できる効果を達成することができる。
【００１４】
図2~7に示すように、本考案第一実施例では、フロント面折畳み板3とフロント面サポート板2を、折畳み部3を通して、向かい合わせに折って合わせた後、タブレットコンピュータ本体を、レザーカバー2内位置に組合せ、フロント面折畳み板3内面と合わせる。
しかも、少なくとも１個の固定ベルト42を、差込26中に挿入し、安定的に封鎖して携帯可能とする(図2参照)。
【００１５】
開く時には、固定ベルト42を、差込26から抜き、及びフロント面折畳み板3外へと折り返す(図3参照)。
上、下回転板24、23は、オス、メス螺旋嵌合部品22、22’を通して、基板21上で360度回転可能となる。
こうして、タブレットコンピュータ収納カバー25内のタブレットコンピュータ本体を連動し、任意の角度にして使用することができる(図5参照)。
【００１６】
手を挿し込み持つ時には、フロント面折畳み板3を、折線41により反対に折り、続いて、少なくとも１個の固定ベルト42を、差込26中に挿し込んで設置する。
これにより、フロント面折畳み板3辺縁は、差込12底縁に接触して定位され、三角形サポートスタンドを形成する(図6参照)。
この状態で、任意の手Hを、中央に形成される中央孔に通せば、持って定位することができる(図7参照)。
こうして、手で自由に回転させて調整し、タブレットコンピュータ本体を操作でき、外部保護の効果を達成することができる。
【００１７】
図7、8、9、10、11に示すように、本考案第二実施例は、第一実施例から派生したもので、下回転板23の第二可動接続孔231に、直線導入保護板232を嵌めて設置する。
その槽内一端の位置はちょうど、第二可動接続孔231に対応する中心端槽2321で、反対端は、横方向に任意に偏心端槽2322を延伸する。
しかも、各端の両側には、少なくとも１個の嵌合点2323を突出状に設置する(図9参照)。
これにより、オス、メス螺旋嵌合部品22、22’間の連結棒体を嵌めて定位し、上、下回転板24、23の所定の位置に、タブレットコンピュータ背後のカメラヘッドとちょうど対応する上、下カメラヘッド開孔241、234を貫通状に設置する。
こうして、直接ビデオ撮影或いは写真撮影を行うことができる(図8参照)。
【００１８】
フロント面折畳み板3とフロント面サポート板2を、折畳み部3を通して、向かい合わせに折って合わせた後、タブレットコンピュータ本体を、レザーカバー2内位置に組合せ、フロント面折畳み板3内面と合わせる。
しかも、オス、メス螺旋嵌合部品22、22’間の連結棒体は、導入保護板232の嵌合点2323に直接制限され、中心端槽2321内に係合して定位する。
さらに、少なくとも１個の固定ベルト42を、差込26中に挿入し、安定的に封鎖して携帯可能とする。
【００１９】
開いた後、上、下回転板24、23は、オス、メス螺旋嵌合部品22、22’を通して、直線導入保護板232に対応し、基板21上で360度の左右方向偏移回転を行い、及び偏心端槽2322内に係合して定位される。
こうして、タブレットコンピュータ収納カバー25内のタブレットコンピュータ本体を連動し、任意の角度にして使用することができる。
しかも、上、下カメラヘッド開孔241、234は、基板21とずれるため露出し、こうしてカメラヘッドは、必要な角度に調整することができ、ビデオ撮影或いは写真撮影を直接行うことができる(図10参照)。
【００２０】
反対に折り、サポートスタンドとした後は、カメラヘッドは、平らな台上或いは手Hの上で、タブレットコンピュータ本体に対応して自由に動かし操作することができる(図7、図11参照)。
こうして、カメラヘッドを直接使用可能としながら、隨時保護する効果を達成する。
【００２１】
図7、12、13、14、15に示すように、本考案の第三実施例は、第二実施例の派生で、下回転板23の直線導入保護板232に、弧状導入保護板233を嵌めて設置する。
その槽内の両端位置は、ちょうど直線導入保護板232の中心端槽2331及び偏心端槽2332と一致する(図13参照)。
これにより、オス、メス螺旋嵌合部品22、22’間の連結棒体に対して、ルートの制限を行う。
さらに、上、下回転板24、23の所定の位置に、タブレットコンピュータ背後のカメラヘッドとちょうど対応する上、下カメラヘッド開孔241、234を貫通状に設置する(図12参照)。
【００２２】
フロント面折畳み板3とフロント面サポート板2を、折畳み部3を通して、向かい合わせに折って合わせた後、タブレットコンピュータ本体を、レザーカバー2内位置に組合せ、フロント面折畳み板3内面と合わせる。
しかも、オス、メス螺旋嵌合部品22、22’間の連結棒体は、弧状導入保護板233によりルートを制限され、及び折畳み部4の側辺に封鎖され、中心端槽2331内に留められる。
さらに、少なくとも１個の固定ベルト42を、差込26中に挿入し、安定的に封鎖して携帯可能とする。
【００２３】
開く、或いは反対に折ってサポートスタンドとした後、上、下回転板24、23は、オス、メス螺旋嵌合部品22、22’を通して、弧状導入保護板233に対応し、基板21上で360度の左右方向偏移回転を行い、及び偏心端槽2332内に係合して定位し(図7、14、15参照)、前記と相同の効果を達成する。
【００２４】
タブレットコンピュータ収納カバー25に、タブレットコンピュータ本体を入れた後は、位置限定挿入板251を内向きに折り返し、タブレットコンピュータ本体底部の片側に挿しこむ。
こうして、完全に封入し、滑っての脱落を防止する効果を提供することができる。
【００２５】
固定ベルト42は、平行に近い方向で、差込26に挿し込んで組合わせると、ベルト先端部421上の係合凸ブロック4211により、操作時に、非平行逆向きに滑り出にくくなり、こうして非常に心強い安全構造を提供することができる。
【００２６】
上記したように、本考案は、手Hで持ち、及びスクリーンを回転させ調整してのタッチ操作、及びカメラヘッドに対応した操作に運用することができ、タブレットコンピュータ本体を携帯する際に随時保護を提供することができる。
【００２７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２９】
2        フロント面サポート板
21       基板
211      第一可動接続孔
22、22’   オス、メス螺旋嵌合部品
23       下回転板
231      第二可動接続孔
232      直線導入保護板
2321     中心端槽
2322     偏心端槽
2323     嵌合点
233      弧状導入保護板
2331     中心端槽
2332     偏心端槽
234      下カメラヘッド開孔
24       上回転板
241      上カメラヘッド開孔
25       タブレットコンピュータ収納カバー
251      位置限定挿入板
252      停止辺
26       差込
3        フロント面折畳み板
4        折畳み部
41       折線
42       固定ベルト
421      ベルト先端部
4211     係合凸ブロック
H        手
【図１】
0003167989.tif 000003
【図２】
0003167989.tif 000004
【図３】
0003167989.tif 000005
【図４】
0003167989.tif 000006
【図５】
0003167989.tif 000007
【図６】
0003167989.tif 000008
【図７】
0003167989.tif 000009
【図８】
0003167989.tif 000010
【図９】
0003167989.tif 000011
【図１０】
0003167989.tif 000012
【図１１】
0003167989.tif 000013
【図１２】
0003167989.tif 000014
【図１３】
0003167989.tif 000015
【図１４】
0003167989.tif 000016
【図１５】
0003167989.tif 000017